(57)【要約】【課題】表示制御部が所定の処理を行う間、ユーザーが所望する画像を表示部に表示させることができる表示装置、及び表示方法を提供する。【解決手段】表示装置１００は、表示部２１と、出力制御部２４と、表示制御部２２ｂとを備える。表示部２１は、画像を表示可能である。出力制御部２４は、表示部２１を制御する。表示制御部２２ｂは、表示部２１に表示される画像を制御する。表示制御部２２ｂが所定の処理を行う間、表示部２１が既定画像とは異なる任意画像を表示するように、出力制御部２４が表示部２１を制御する。【選択図】図５
2019144372.tif 000002
【特許請求の範囲】
【請求項１】
画像を表示可能な表示部と、
前記表示部を制御する出力制御部と、
前記表示部に表示される画像を制御する表示制御部と
を備え、
前記表示制御部が所定の処理を行う間、前記表示部が既定画像とは異なる任意画像を表示するように、前記出力制御部が前記表示部を制御し、
前記既定画像は、前記表示制御部が前記所定の処理を行う間、前記表示制御部が前記表示部に表示させるように予め設定されている画像を示す、表示装置。
【請求項２】
前記表示部に表示される画像を記憶する記憶部をさらに備え、
前記出力制御部は、
前記所定の処理が行われる前に、前記任意画像であるキャプチャー画像を前記記憶部に記憶させ、
前記所定の処理が行われる間、前記記憶部に記憶される前記キャプチャー画像を前記表示部に表示させる、請求項１に記載の表示装置。
【請求項３】
前記表示制御部が前記所定の処理を行っているとき、前記表示制御部が前記出力制御部に対し、前記既定画像を示す信号を送信すると共に、前記出力制御部が前記信号の受信を拒否する、請求項１又は請求項２に記載の表示装置。
【請求項４】
前記既定画像は、前記表示制御部を操作するためのソフトウェアで設定される、請求項１から請求項３のいずれか１項に記載の表示装置。
【請求項５】
画像を表示可能な表示部を制御する出力制御部と、前記表示部に表示される画像を制御する表示制御部とを含むコンピューターを用いた表示方法であって、
前記表示制御部が所定の処理を行う間、前記表示部が既定画像とは異なる任意画像を表示するように、前記出力制御部が前記表示部を制御する工程を備え、
前記既定画像は、前記表示制御部が前記所定の処理を行う間、前記表示制御部が前記表示部に表示させるように予め設定されている画像を示す、表示方法。
【請求項６】
前記表示制御部が前記任意画像であるキャプチャー画像を示す信号を前記出力制御部に送信する工程と、
前記出力制御部が前記キャプチャー画像を記憶部に記憶させるキャプチャー処理を行う工程と、
前記キャプチャー処理が完了すると、前記出力制御部が前記表示制御部に対し前記キャプチャー処理が完了したことを示すキャプチャー処理完了信号を送信する工程と、
前記表示制御部が前記キャプチャー処理完了信号を受信すると、前記表示制御部が前記出力制御部に対し、キャプチャー画像表示処理を行うことを指示するキャプチャー画像表示信号を送信する工程と
を備え、
前記キャプチャー画像表示処理は、前記記憶部に記憶されている前記キャプチャー画像を前記表示部に表示させる処理を示す、請求項５に記載の表示方法。
【請求項７】
前記表示制御部が前記キャプチャー画像表示信号を送信すると、前記表示制御部が前記所定の処理を行う工程と、
前記所定の処理が完了すると、前記表示制御部が前記出力制御部に対し、前記表示部に前記キャプチャー画像を表示させないことを指示するキャプチャー画面非表示信号を送信する工程と、
前記出力制御部が前記キャプチャー画像表示信号を受信してから前記キャプチャー画面非表示信号を受信するまでの間、前記出力制御部が前記キャプチャー画像表示処理を行う工程と
を備える、請求項６に記載の表示方法。
【発明の詳細な説明】
【技術分野】
【０００１】
本発明は、表示装置、及び表示方法に関する。
【背景技術】
【０００２】
特許文献１に記載の表示装置は、複数の機能ユニットと、起動処理と、中央処理部と、検出部とを有する。複数の機能ユニットには、表示ユニットが含まれる。起動処理は、複数の機能ユニットに起動を指示する。中央処理部は、定常処理を実行する。定常処理は、操作の発生に応じて複数の機能ユニットに動作を指示する処理を示す。検出部は、定常処理中に再起動する状態を検出する。中央処理部は、検出部の検出結果に応じて、表示ユニット以外の機能ユニットに起動を指示する再起動処理を実行する。表示ユニットは、再起動処理後の定常処理で中央処理部から動作の指示を受けるまで表示ユニットのパネルの画面表示を維持する。
【先行技術文献】
【特許文献】
【０００３】
【特許文献１】特開２０１１−３９４３８号公報
【発明の概要】
【発明が解決しようとする課題】
【０００４】
一般に、中央処理部が再起動（所定の処理）を行う間、中央処理部のＯＳで設定された既定画像が表示ユニットのパネルに表示される。しかし、中央処理部が再起動を行う間、ユーザーが所望する画像を表示ユニットのパネルに表示させたいとの要望がある。
【０００５】
本発明は、表示制御部が所定の処理を行う間、ユーザーが所望する画像を表示部に表示させることができる表示装置、及び表示方法を提供することを目的としている。
【課題を解決するための手段】
【０００６】
本発明の第１の局面によれば、表示装置は、表示部と、出力制御部と、表示制御部とを備える。表示部は、画像を表示可能である。出力制御部は、前記表示部を制御する。表示制御部は、前記表示部に表示される画像を制御する。前記表示制御部が所定の処理を行う間、前記表示部が既定画像とは異なる任意画像を表示するように、前記出力制御部が前記表示部を制御する。前記既定画像は、前記表示制御部が前記所定の処理を行う間、前記表示制御部が前記表示部に表示させるように予め設定されている画像を示す。
【０００７】
本発明の第２の局面によれば、表示方法は、コンピューターを用いる。コンピューターは、出力制御部と、表示制御部とを含む。出力制御部は、画像を表示可能な表示部を制御する。表示制御部は、前記表示部に表示される画像を制御する。表示方法は、前記表示制御部が所定の処理を行う間、前記表示部が既定画像とは異なる任意画像を表示するように、前記出力制御部が前記表示部を制御する工程を備える。前記既定画像は、前記表示制御部が前記所定の処理を行う間、前記表示制御部が前記表示部に表示させるように予め設定されている画像を示す。
【発明の効果】
【０００８】
本発明によれば、表示制御部が所定の処理を行う間、ユーザーが所望する画像を表示部に表示させることができる。
【図面の簡単な説明】
【０００９】
【図１】本発明の実施形態に係る表示装置のブロック図である。
【図２】表示制御部、出力制御部、及び表示部の動作を示す第１のフロー図である。
【図３】表示制御部、出力制御部、及び表示部の動作を示す第２のフロー図である。
【図４】表示制御部、出力制御部、及び表示部の動作を示す第３のフロー図である。
【図５】表示制御部の出力画像、及び表示部に表示される画像を示す図である。
【発明を実施するための形態】
【００１０】
本発明の実施形態について、図面を参照しながら説明する。なお、図中、同一又は相当部分については同一の参照符号を付して説明を繰り返さない。
【００１１】
図１を参照して、本発明の実施形態に係る表示装置１００について説明する。図１は、本発明の実施形態に係る表示装置１００のブロック図である。
【００１２】
図１に示すように、表示装置１００は、例えば、デジタルサイネージとして機能する。表示装置１００は、入力部１０と、表示ユニット２０とを備える。
【００１３】
入力部１０は、表示装置１００に対する指示を受け付ける。入力部１０は、例えば、表示ユニット２０と赤外線通信を行う機能を有するリモコンである。入力部１０は、例えば、操作ボタン、及び／又は、タッチパネルのような操作部を含む。ユーザーは、操作部を操作して、表示装置１００に対する指示を入力する。なお、入力部１０は、表示ユニット２０の筐体に設けられ、表示ユニット２０と有線接続されていてもよい。また、入力部１０は、音声、又はカメラにより表示装置１００に対する指示を受け付けてもよい。
【００１４】
表示ユニット２０は、表示部２１を有する。
【００１５】
表示部２１は、例えば、液晶ディスプレー（Ｌｉｑｕｉｄ  Ｃｒｙｓｔａｌ  Ｄｉｓｐｌａｙ）である。なお、表示部２１は、ＥＬ（Ｅｌｅｃｔｒｏ−Ｌｕｍｉｎｅｓｃｅｎｃｅ）ディスプレー、又は、プラズマディスプレー（ＰＤＰ）でもよい。
【００１６】
表示ユニット２０は、表示制御装置２２をさらに有する。
【００１７】
表示制御装置２２は、表示記憶部２２ａと、表示制御部２２ｂとを含む。
【００１８】
表示記憶部２２ａは、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリ）を含み、補助記憶装置（例えば、ハードディスクドライブ）をさらに含んでもよい。表示記憶部２２ａは、表示制御部２２ｂによって実行される種々のコンピュータープログラムを記憶する。
【００１９】
表示記憶部２２ａは、既定画像を記憶する。既定画像は、静止画像、又は動画像のうちのいずれでもよい。既定画像は、表示制御部２２ｂが所定の処理を行う間、表示制御部２２ｂが表示部２１に表示させるように予め設定されている画像を示す。本実施形態では、既定画像は、表示制御部２２ｂが所定の処理を行う間、表示部２１に表示されるように表示制御部２２ｂを操作するためのソフトウェアで設定されている。以下では、表示制御部２２ｂを操作するためのソフトウェアを、ソフトウェア、又は、表示制御部２２ｂのソフトウェアと記載することがある。ソフトウェアは、例えば、ＯＳ（Ｏｐｅｒａｔｉｎｇ  Ｓｙｓｔｅｍ）を示す。本実施形態の既定画像は、第１既定画像Ｃ１と、第２既定画像Ｃ２（図５参照）とを含む。
【００２０】
なお、既定画像は、表示記憶部２２ａに記憶されていなくてもよい。例えば、表示制御部２２ｂは、所定の処理を行う毎に、外部のサーバーから既定画像を取得してもよい。
【００２１】
所定の処理は、例えば、表示制御部２２ｂの実行中の処理を停止させる処理を示す。従って、表示制御部２２ｂが所定の処理を行うと、表示制御部２２ｂの実行中の処理が停止される。なお、停止は、一時的に中断することと、終了することの両方の意味を含む。
【００２２】
所定の処理は、例えば、表示制御部２２ｂの再起動、及び／又は、表示制御部２２ｂのソフトウェアの更新を示す。本実施形態では、所定の処理は、表示制御部２２ｂの再起動と、表示制御部２２ｂのソフトウェアの更新とを示す。本実施形態では、表示制御部２２ｂの再起動と、表示制御部２２ｂのソフトウェアの更新とが連続して行われる。
【００２３】
表示ユニット２０は、記憶装置２３と、出力制御部２４とをさらに有する。
【００２４】
記憶装置２３は、ＲＯＭ、及びＲＡＭのような主記憶装置を含み、補助記憶装置をさらに含んでもよい。記憶装置２３は、出力制御部２４によって実行される種々のコンピュータープログラムを記憶する。
【００２５】
出力制御部２４は、ＣＰＵ及びＭＰＵのようなプロセッサーを含む。出力制御部２４は、記憶装置２３に記憶されたコンピュータープログラムを実行することにより、表示装置１００の各要素を制御する。
【００２６】
表示制御部２２ｂと出力制御部２４とは、本実施形態では、互いに異なるプラットフォーム上で作動する。プラットフォームは、例えば、アンドロイド（登録商標）、ウインドウズ（登録商標）、及びリナックス（登録商標）のようなＯＳ、又は専用のファームウェアを含む。本実施形態では、表示制御部２２ｂのＯＳは、アンドロイドである。表示制御部２２ｂと出力制御部２４とは、互いに接続される。表示制御部２２ｂと出力制御部２４とは、制御コマンドを互いに送受信することが可能である。なお、表示制御部２２ｂと出力制御部２４とは、同じプラットフォーム上で作動してもよい。
【００２７】
出力制御部２４は、表示部２１を制御する。具体的には、出力制御部２４は、信号を受信すると、表示部２１の各要素を制御して、信号が示す画像を表示部２１に表示させる。
【００２８】
表示制御部２２ｂは、表示部２１に表示される画像を制御する。具体的には、入力部１０は、表示部２１に画像を表示させる指示を受け付ける。そして、表示制御部２２ｂは、入力部１０からの指示に応じた画像を、例えば、外部のサーバーから取得する。そして、表示制御部２２ｂは、取得した画像を示す信号を出力制御部２４に送信する。その結果、出力制御部２４は、表示制御部２２ｂから受信した画像を、表示部２１に表示させる。
【００２９】
表示ユニット２０は、受信部２５と、映像入力端子２６とをさらに有する。
【００３０】
受信部２５は、有線通信又は無線通信によって入力部１０と通信可能に接続されている。本実施形態では、受信部２５は、入力部１０から出力される赤外線を受光するデバイスである。
【００３１】
映像入力端子２６は、画像を示す信号を受信する。映像入力端子２６は、例えば、ＨＤＭＩ（登録商標）端子、Ｄｉｓｐｌａｙ  Ｐｏｒｔ（登録商標）端子、及び／又はＤＶＩ（登録商標）端子を含む。映像入力端子２６は、画像を示す信号を受信すると、受信した信号を出力制御部２４に出力する。
【００３２】
記憶装置２３は、内部記憶部２３ａと、一時記憶部２３ｂとを含む。
【００３３】
内部記憶部２３ａは、例えば、出力制御部２４の動作のスケジュール、及び出力制御部２４の現在の状態を記憶する。現在の状態は、例えば、出力制御部２４の現在の電源の状態を示す。
【００３４】
一時記憶部２３ｂは、表示部２１に表示される画像を記憶する。一時記憶部２３ｂは、本発明の記憶部の一例である。一時記憶部２３ｂは、出力制御部２４に接続される。一時記憶部２３ｂは、出力制御部２４との間で画像を示す信号を送受信する。
【００３５】
出力制御部２４は、映像入力端子２６を介して受け付けた画像、又は、表示制御部２２ｂから受け付けた画像を一時記憶部２３ｂに記憶する。そして、出力制御部２４は、一時記憶部２３ｂに記憶した画像を、所定のタイミングで表示部２１に表示させることができる。従って、出力制御部２４は、一時記憶部２３ｂを用いることで、表示部２１に画像を表示させるタイミングを制御することができる。
【００３６】
出力制御部２４は、内蔵パターン処理部２４ａと、映像信号処理部２４ｂと、スケーリング処理部２４ｃと、キャプチャー処理部２４ｄと、表示処理部２４ｅと、演算部２４ｆとを含む。具体的には、出力制御部２４のプロセッサーが、記憶装置２３に記憶されたコンピュータープログラムを実行することにより、内蔵パターン処理部２４ａ、映像信号処理部２４ｂ、スケーリング処理部２４ｃ、キャプチャー処理部２４ｄ、表示処理部２４ｅ、及び演算部２４ｆとして機能する。
【００３７】
内蔵パターン処理部２４ａは、記憶装置２３に予め記憶されているデータに基づいて、表示部２１に表示させる画像を生成する。
【００３８】
映像信号処理部２４ｂは、画像を示す信号を受信する。本実施形態では、映像信号処理部２４ｂが受信する信号は、映像入力端子２６を介して入力される第１信号、表示制御部２２ｂから入力される第２信号、及び内蔵パターン処理部２４ａから入力される第３信号を含む。映像信号処理部２４ｂは、第１信号〜第３信号のうち、いずれの信号を受信するかを選択する機能を有する。また、映像信号処理部２４ｂは、受信した信号を所定の信号に変換する。所定の信号は、出力制御部２４により処理可能な信号を示す。
【００３９】
スケーリング処理部２４ｃは、映像信号処理部２４ｂが受信した信号が示す画像を、表示部２１に応じた解像度に拡大又は縮小する。
【００４０】
キャプチャー処理部２４ｄは、映像信号処理部２４ｂが受信した信号が示す画像を一時記憶部２３ｂに記憶する。
【００４１】
表示処理部２４ｅは、映像信号処理部２４ｂ、スケーリング処理部２４ｃ、及びキャプチャー処理部２４ｄにより加工された信号を、表示部２１が処理可能な信号の形式に変換する。
【００４２】
演算部２４ｆは、出力制御部２４の各要素の全体の制御を行う。演算部２４ｆは、表示制御部２２ｂとの間で、例えば、制御コマンドを送受信する。
【００４３】
次に、図１から図５を参照して、表示制御部２２ｂ、出力制御部２４、及び表示部２１の動作について説明する。図２から図４は、表示制御部２２ｂ、出力制御部２４、及び表示部２１の動作を示すフロー図である。図５は、表示制御部２２ｂの出力画像、及び表示部２１に表示される画像を示す図である。
【００４４】
図２に示すように、ステップＳ１１において、表示制御部２２ｂは、出力制御部２４の演算部２４ｆに対し、確認画像表示信号を送信する。確認画像表示信号は、表示部２１に確認画像Ａを表示させることを指示する制御コマンドを示す。また、表示制御部２２ｂは、出力制御部２４の映像信号処理部２４ｂに対し、確認画像Ａを示す信号を送信する。
【００４５】
ステップＳ２１において、出力制御部２４の演算部２４ｆは、表示制御部２２ｂから確認画像表示信号を受信する。また、出力制御部２４の映像信号処理部２４ｂは、表示制御部２２ｂから確認画像Ａを示す信号を受信する。
【００４６】
ステップＳ２２において、出力制御部２４の表示処理部２４ｅは、表示部２１に対し確認画像Ａを示す信号を送信する。
【００４７】
ステップＳ４１において、表示部２１は、出力制御部２４から確認画像Ａを示す信号を受信する。
【００４８】
ステップＳ４２において、表示部２１は、確認画像Ａを表示する。
【００４９】
図５に示すように、確認画像Ａは、表示制御部２２ｂが所定の処理を行うことをユーザーに確認させるための画像である。本実施形態の確認画像Ａは、表示制御部２２ｂが更新を行うことをユーザーに確認させる。本実施形態の確認画像Ａは、開始画像Ａ１を含む。開始画像Ａ１は、表示制御部２２ｂに対し更新の開始を指示するための画像である。入力部１０を介して開始画像Ａ１が選択されると、入力部１０が更新の指示を受け付ける。例えば、入力部１０がマウスの場合、開始画像Ａ１がマウスによりクリックされると、入力部１０が更新の指示を受け付ける。
【００５０】
所定の処理前において、表示制御部２２ｂの出力画像は、確認画像Ａである。また、表示部２１に表示される画像も確認画像Ａである。従って、所定の処理前において、表示制御部２２ｂの出力画像は、表示部２１に表示される画像と一致している。なお、表示制御部２２ｂの出力画像は、表示制御部２２ｂから映像信号処理部２４ｂに出力される第２信号が示す画像である。
【００５１】
図２に示すように、ステップＳ１２において、入力部１０が更新の指示を受け付けたか否かを表示制御部２２ｂが判定する。入力部１０が更新の指示を受け付けた場合（ステップＳ１２で、Ｙｅｓ）、処理がステップＳ１３に移行する。入力部１０が更新の指示を受け付けていない場合（ステップＳ１２で、Ｎｏ）、ステップＳ１２に示す処理が繰り返される。
【００５２】
ステップＳ１３において、表示制御部２２ｂは、出力制御部２４の演算部２４ｆに対し、第１キャプチャー画像表示信号を送信する。第１キャプチャー画像表示信号は、表示部２１にキャプチャー画像Ｂを表示させることを指示する制御コマンドを示す。また、表示制御部２２ｂは、出力制御部２４の映像信号処理部２４ｂに対し、キャプチャー画像Ｂを示す信号を送信する。
【００５３】
ステップＳ２３において、出力制御部２４の演算部２４ｆは、表示制御部２２ｂから第１キャプチャー画像表示信号を受信する。また、出力制御部２４の映像信号処理部２４ｂは、表示制御部２２ｂからキャプチャー画像Ｂを示す信号を受信する。
【００５４】
ステップＳ２４において、出力制御部２４の表示処理部２４ｅは、表示部２１に対しキャプチャー画像Ｂを示す信号を送信する。
【００５５】
ステップＳ４３において、表示部２１は、出力制御部２４の表示処理部２４ｅからキャプチャー画像Ｂを示す信号を受信する。
【００５６】
ステップＳ４４において、表示部２１は、キャプチャー画像Ｂを表示する。
【００５７】
図３に示すように、ステップＳ１４において、表示制御部２２ｂは、出力制御部２４の演算部２４ｆに対し、キャプチャー処理開始信号を送信する。
【００５８】
キャプチャー処理開始信号は、出力制御部２４の演算部２４ｆに対し、キャプチャー処理を開始することを指示する制御コマンドを示す。キャプチャー処理は、表示部２１に表示される画像を、出力制御部２４のキャプチャー処理部２４ｄが一時記憶部２３ｂに記憶させる処理を示す。
【００５９】
ステップＳ２６において、出力制御部２４のキャプチャー処理部２４ｄは、キャプチャー処理を行う。図２のステップＳ４４に示すように、表示部２１にはキャプチャー画像Ｂが表示されている。従って、出力制御部２４のキャプチャー処理部２４ｄは、キャプチャー処理を行うことで、キャプチャー画像Ｂを一時記憶部２３ｂに記憶させる。
【００６０】
図５に示すように、キャプチャー画像Ｂは、表示制御部２２ｂが所定の処理を行う間、表示部２１に表示させる画像を示す。
【００６１】
キャプチャー処理時において、表示制御部２２ｂの出力画像は、キャプチャー画像Ｂである。また、表示部２１に表示される画像もキャプチャー画像Ｂである。従って、キャプチャー処理時において、表示制御部２２ｂの出力画像は、表示部２１に表示される画像と一致している。
【００６２】
図３に示すように、ステップＳ２７において、キャプチャー処理が完了すると、出力制御部２４の演算部２４ｆは、表示制御部２２ｂに対し、キャプチャー処理完了信号を送信する。キャプチャー処理完了信号は、キャプチャー処理が完了したことを示す信号である。
【００６３】
ステップＳ１５において、表示制御部２２ｂは、キャプチャー処理完了信号を受信する。
【００６４】
ステップＳ１６において、表示制御部２２ｂは、出力制御部２４の演算部２４ｆに対し、第２キャプチャー画像表示信号を送信する。第２キャプチャー画像表示信号は、一時記憶部２３ｂに記憶されているキャプチャー画像Ｂを表示部２１に表示させることを指示する第１制御コマンドを示す。本実施形態の第２キャプチャー画像表示信号は、本発明のキャプチャー画像表示信号の一例を示す。
【００６５】
ステップＳ２８において、出力制御部２４の演算部２４ｆは、第２キャプチャー画像表示信号を受信する。
【００６６】
ステップＳ２９において、出力制御部２４の表示処理部２４ｅは、表示部２１に対し、キャプチャー画像信号を送信する。キャプチャー画像信号は、一時記憶部２３ｂに記憶されたキャプチャー画像Ｂを示す信号である。
【００６７】
ステップＳ３０において、出力制御部２４の表示処理部２４ｅがキャプチャー画像信号を送信すると、出力制御部２４の映像信号処理部２４ｂは、第２信号の受信を拒否する。具体的には、映像信号処理部２４ｂは、受信する信号として、第１信号〜第３信号のうち、第２信号以外の信号を選択し、又は、全ての信号を選択しない。
【００６８】
ステップＳ４５において、表示部２１は、キャプチャー画像信号を受信する。
【００６９】
ステップＳ４６において、表示部２１は、キャプチャー画像信号が示す画像であるキャプチャー画像Ｂを表示する。
【００７０】
なお、ステップＳ４４（図２参照）で表示部２１に表示されるキャプチャー画像Ｂと、ステップＳ４６で表示部２１に表示されるキャプチャー画像Ｂとは、互いに同じ形状の画像である。しかし、ステップＳ４４のキャプチャー画像Ｂは、表示制御部２２ｂから出力される。これに対し、ステップＳ４６のキャプチャー画像Ｂは、一時記憶部２３ｂから出力される。従って、ステップＳ４４のキャプチャー画像Ｂと、ステップＳ４６のキャプチャー画像Ｂとは、出所が異なる。
【００７１】
以下では、一時記憶部２３ｂから出力されるキャプチャー画像Ｂを、キャプチャー画像ＢＢと記載することがある。
【００７２】
図４に示すように、ステップＳ１７において、表示制御部２２ｂは、本実施形態の所定の処理の１つである再起動を行う。
【００７３】
図１に示すように、表示制御部２２ｂは、再起動を行う際、出力制御部２４の映像信号処理部２４ｂに対し、第１既定画像Ｃ１を示す第１デフォルト信号を送信する。従って、再起動時の表示制御部２２ｂの出力画像は、第１既定画像Ｃ１である。なお、第１既定画像Ｃ１は、表示制御部２２ｂが再起動を行う間、表示部２１に表示されるように表示制御部２２ｂのソフトウェアで設定されている画像を示す。
【００７４】
また、表示制御部２２ｂは、再起動を行う際、出力制御部２４の演算部２４ｆに対し第２制御コマンドを送信する。第２制御コマンドは、表示部２１に第１既定画像Ｃ１を表示させることを指示する制御コマンドを示す。そして、表示制御部２２ｂが再起動を行う間、出力制御部２４は、第２制御コマンドを実行する。しかし、ステップＳ３０（図３参照）に示すように、出力制御部２４の映像信号処理部２４ｂは、第２信号の受信を拒否している。従って、表示制御部２２ｂが映像信号処理部２４ｂに対して第１デフォルト信号を送信しても、映像信号処理部２４ｂは第１デフォルト信号を受信しない。その結果、再起動が行われる間、第２制御コマンドが実行されても、表示部２１には第１既定画像Ｃ１が表示されない。
【００７５】
また、出力制御部２４の演算部２４ｆは、ステップＳ２８（図３参照）において、第２キャプチャー画像表示信号を受信している。従って、再起動が行われる間、出力制御部２４の演算部２４ｆは、表示部２１にキャプチャー画像ＢＢを表示させる第１制御コマンドをさらに実行している。その結果、再起動が行われる間、表示部２１にはキャプチャー画像ＢＢが表示される。
【００７６】
図５に示すように、再起動時において、表示制御部２２ｂの出力画像は、第１既定画像Ｃ１である。また、再起動時において、表示部２１に表示される画像は、キャプチャー画像ＢＢである。従って、再起動時において、表示制御部２２ｂの出力画像は、表示部２１に表示される画像と異なる。
【００７７】
なお、本実施形態では、表示装置１００の電源部は、表示制御部２２ｂに対する電源の管理と、出力制御部２４に対する電源の管理とを互いに独立して行う。従って、表示制御部２２ｂの再起動時に表示制御部２２ｂの電源が一時的にオフになっても、出力制御部２４の電源がオンの状態が保持される。その結果、表示制御部２２ｂの再起動時に、表示部２１にキャプチャー画像ＢＢが表示されている状態が保持される。
【００７８】
図４に示すように、ステップＳ１８において、表示制御部２２ｂは、本実施形態の所定の処理の他の１つである更新を行う。
【００７９】
図１に示すように、表示制御部２２ｂは、更新を行う際、出力制御部２４の映像信号処理部２４ｂに対し、第２既定画像Ｃ２を示す第２デフォルト信号を送信する。従って、更新時の表示制御部２２ｂの出力画像は、第２既定画像Ｃ２である。なお、第２既定画像Ｃ２は、表示制御部２２ｂが更新を行う間、表示部２１に表示されるように表示制御部２２ｂのソフトウェアで設定されている画像を示す。
【００８０】
また、表示制御部２２ｂは、更新を行う際、出力制御部２４の演算部２４ｆに対し、第３制御コマンドを送信する。第３制御コマンドは、表示部２１に第２既定画像Ｃ２を表示させることを指示する制御コマンドを示す。そして、表示制御部２２ｂが更新を行う間、出力制御部２４の演算部２４ｆは、第３制御コマンドを実行する。しかし、ステップＳ２９（図３参照）に示すように、出力制御部２４の映像信号処理部２４ｂは、第２信号の受信を拒否している。その結果、更新が行われる間、表示部２１には第２既定画像Ｃ２が表示されない。
【００８１】
また、再起動時と同様に、更新が行われる間、出力制御部２４の演算部２４ｆは、第１制御コマンドをさらに実行している。その結果、更新が行われる間、表示部２１にはキャプチャー画像ＢＢが表示される。
【００８２】
図５に示すように、更新時において、表示制御部２２ｂの出力画像は、第２既定画像Ｃ２である。また、再起動時において、表示部２１に表示される画像は、キャプチャー画像ＢＢである。従って、再起動時において、表示制御部２２ｂの出力画像は、表示部２１に表示される画像と異なる。
【００８３】
図４に示すように、ステップＳ１９において、所定の処理が終了すると、表示制御部２２ｂは、出力制御部２４の演算部２４ｆに対し、キャプチャー画面非表示信号を送信する。キャプチャー画面非表示信号は、キャプチャー画像ＢＢを表示部２１に表示させないことを指示する制御コマンドを示す。
【００８４】
ステップＳ３１において、出力制御部２４の演算部２４ｆは、キャプチャー画面非表示信号を受信する。そして、出力制御部２４は、第１制御コマンドの実行を終了する。
【００８５】
ステップＳ３２において、第１制御コマンドの実行が終了すると、表示部２１によるキャプチャー画像ＢＢの表示が終了する。そして、表示制御部２２ｂ、及び出力制御部２４の各々は、所定の処理により中断されたスケジュールを再開する。
【００８６】
スケジュールの再開時、出力制御部２４の映像信号処理部２４ｂは、第１信号〜第３信号のうちから、中断されたスケジュールで設定されていた信号を選択する。本実施形態では、出力制御部２４の映像信号処理部２４ｂは、第２信号を選択する。その結果、出力制御部２４の映像信号処理部２４ｂは、入力画像Ｄを示す信号を受信する。そして、出力制御部２４の表示処理部２４ｅは、入力画像Ｄを示す信号を表示部２１に送信する。
【００８７】
ステップＳ４７において、表示部２１は、出力制御部２４から入力画像Ｄを示す信号を受信する。
【００８８】
ステップＳ４８において、表示部２１は、入力画像Ｄを表示する。そして、スケジュールが完了すると、処理が終了する。
【００８９】
なお、図５に示すように、本実施形態では、所定の処理後において、表示制御部２２ｂの出力画像と、表示部２１に表示される画像とが、入力画像Ｄで一致している。
【００９０】
以上、図１から図５を参照して説明したように、表示制御部２２ｂが所定の処理（再起動、及び更新）を行う間、表示部２１が既定画像（第１既定画像Ｃ１、及び第２既定画像Ｃ２）とは異なるキャプチャー画像ＢＢを表示するように、出力制御部２４が表示部２１を制御する（図５参照）。従って、表示制御部２２ｂが所定の処理を行う間、ユーザーが所望する画像を表示部２１に表示させることができる。
【００９１】
また、ステップＳ１７、及びステップＳ１８（図４参照）に示すように、所定の処理が行われる間、出力制御部２４は、キャプチャー画像ＢＢを表示部２１に表示させる。従って、一時記憶部２３ｂにユーザーが所望する画像を記憶させることで、所定の処理が行われる間、ユーザーが所望する画像を表示部２１に表示させることができる。
【００９２】
また、既定画像を表示部２１に表示させる場合、表示制御部２２ｂのソフトウェアと表示部２１との通信帯域、及びレスポンス性能の制約により、複雑な表現の画像、及び動画を表示部２１に表示させることが困難であった。しかし、本実施形態では、出力制御部２４が一時記憶部２３ｂに記憶されるキャプチャー画像ＢＢを表示部２１に表示させる。従って、表示制御部２２ｂのソフトウェアの影響を受けることなく、キャプチャー画像ＢＢを表示部２１に表示させることができる。その結果、複雑な表現の画像、及び動画を表示部２１に表示させることが可能になる。
【００９３】
また、一般に、既定画像を変更するには、表示制御部２２ｂの規定動作に変更を加えなければならない。従って、表示制御部２２ｂのソフトウェアに精通した技術力と、ある程度の開発期間が必要であった。表示制御部２２ｂの規定動作は、表示制御部２２ｂがＯＳのようなソフトウェアに従って既定画像を表示するために行う動作を示す。
【００９４】
しかし、本実施形態によると、ステップＳ１７、及びステップＳ１８（図４参照）に示すように、所定の処理が行われているとき、出力制御部２４の映像信号処理部２４ｂは、デフォルト信号（第１デフォルト信号及び第２デフォルト信号）の受信を拒否する。従って、出力制御部２４がデフォルト信号を受け付けないので、表示制御部２２ｂに規定動作をさせつつ、既定画像を変更することができる。その結果、表示制御部２２ｂの規定動作に変更を加えることなく既定画像を変更することができるので、既定画像を容易に変更することができる。
【００９５】
以上、図面（図１〜図５）を参照しながら本発明の実施形態について説明した。但し、本発明は、上記の実施形態に限られるものではなく、その要旨を逸脱しない範囲で種々の態様において実施することが可能である（例えば、（１）〜（２））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００９６】
（１）本実施形態では、ステップＳ１３からステップＳ２６（図２及び図３参照）において、一時記憶部２３ｂに記憶されるキャプチャー画像Ｂは、表示制御部２２ｂから供給された画像である。しかし、本発明はこれに限定されない。キャプチャー画像Ｂは、映像入力端子２６から入力された画像でもよい。この場合、図１に示すように、映像入力端子２６は、キャプチャー画像Ｂを供給する外部装置（不図示）に接続される。また、映像入力端子２６から入力された画像のキャプチャーのタイミングを通信するために、演算部２４ｆは外部通信端子２７を介して外部装置と接続される。演算部２４ｆは、外部装置に対し、外部通信端子２７を介して、画像をキャプチャーするタイミングを示すタイミング信号を送信する。そして、外部装置がタイミング信号を受信すると、外部装置は映像入力端子２６を介して演算部２４ｆにキャプチャー画像Ｂを送信する。また、キャプチャー画像Ｂは、ＵＳＢメモリのような外部の記憶装置から供給された画像でもよい。また、キャプチャー画像Ｂは、内蔵パターン処理部２４ａにより生成された画像でもよい。
【００９７】
（２）表示部２１に表示させる任意画像として、キャプチャー画像Ｂを用いなくてもよい。つまり、キャプチャー処理が行われなくてもよい。例えば、所定の処理が行われる間、ＵＳＢメモリ、及びハードディスクドライブのような記憶装置に記憶されている任意画像を、出力制御部２４が記憶装置から読み出して表示部２１に表示させてもよい。
【産業上の利用可能性】
【００９８】
本発明は、表示装置、及び表示方法の分野に利用可能である。
【符号の説明】
【００９９】
２１    表示部
２２ｂ  表示制御部
２４    出力制御部
Ｃ１    第１既定画像（既定画像）
Ｃ２    第２既定画像（既定画像）
Ｂ、Ｂ１、Ｂ２  キャプチャー画像（任意画像）
２３ｂ  一時記憶部（記憶部）
【図１】
2019144372.tif 000003
【図２】
2019144372.tif 000004
【図３】
2019144372.tif 000005
【図４】
2019144372.tif 000006
【図５】
2019144372.tif 000007